(57)【要約】  物品陳列押出装置（１）のケース本体（３）は、商品などの複数個の物品（２）を互いに配列した状態で収容する。レール部（７）は、ケース本体（３）の内部に物品（２）の押出方向に沿って形成されている。案内部材（５）は、レール部（７）に沿ってケース本体（３）の内部を押出方向に沿って移動自在に設けられている。板バネ機構（６）は、巻き癖が付与された渦巻き状の板バネ片（１２Ａ）を備えた巻回部（１２Ｂ）、およびこの巻回部（１２Ｂ）から引出自在であって板バネ片（１２Ａ）の弾性復元力により牽引される牽引体を含む。案内部材（５）は、巻回部（１２Ｂ）から引き出された牽引体の先端側と接続されて板バネ片（１２Ａ）の弾性復元力により押出方向に付勢される。ケース本体（３）の端部側に窓部（２０）が形成されており、ケース本体（３）の外部から窓部（２０）を通じて板バネ片（１２Ａ）または牽引体の少なくとも一部が視認可能である。
2012042721.tif 000002
【特許請求の範囲】
【請求項１】
物品を配列した状態で収容するケース本体と、該ケース本体の内部に前記物品の押出方向に沿って形成されたレール部と、該レール部に沿って前記ケース本体の内部を前記押出方向に沿って移動自在に設けられた案内部材と、巻き癖が付与された渦巻き状の板バネ片を備えた巻回部およびこの巻回部から引出自在であって前記板バネ片の弾性復元力により牽引される牽引体を含む板バネ機構と、を具備し、
前記案内部材は、前記牽引体の先端側と接続されて前記板バネ片の前記弾性復元力により前記押出方向に付勢され、
前記ケース本体の端部側に窓部が形成されており、前記ケース本体の外部から前記窓部を通じて前記板バネ片または前記牽引体の少なくとも一部が視認可能であることを特徴とする物品陳列押出装置。
【請求項２】
前記板バネ片または牽引体の長さ方向の任意の位置に前記板バネ片または牽引体の前記巻回部からの繰り出し量の目安となる表示部が形成され、前記窓部を介し前記表示部を視認することにより前記ケース本体に収容された前記物品の数量把握ができるように構成されてなる請求項１に記載の物品陳列押出装置。
【請求項３】
前記表示部が、前記ケース本体に収容された前記物品の残り数量を色彩により示す色表示部または前記残り数量を模様により示す模様表示部である請求項２に記載の物品陳列押出装置。
【請求項４】
前記色彩または前記模様が前記板バネ片または前記牽引体の一部の長さ領域に連続的に形成されており、所定の前記繰り出し量となったときに前記長さ領域の端部が前記窓部を介して視認されることを特徴とする請求項３に記載の物品陳列押出装置。
【請求項５】
前記表示部が、前記ケース本体に収容された前記物品の残り数量を示す数字である請求項２に記載の物品陳列押出装置。
【請求項６】
前記表示部が形成されたテープ状の表示片が、前記板バネ片のうち前記窓部に臨む表面に被着されている請求項２から５のいずれか一項に記載の物品陳列押出装置。
【請求項７】
前記表示片は前記板バネ片の基端側から先端近傍に亘って被着されており、
前記案内部材は前記表示片の先端側の端部を前記板バネ片に対して押圧するテープ押さえ部を備える請求項６に記載の物品陳列押出装置。
【請求項８】
前記巻回部は、前記表示部が形成されたテープ状の表示片と前記板バネ片との２重巻き構造とされてなる請求項２から５のいずれか一項に記載の物品陳列押出装置。
【請求項９】
互いに並行する一対の前記レール部を含み、
前記案内部材は、前記レール部を上下方向から挟持して前記押出方向に摺動する挟持部を幅両側にそれぞれ備え、前記挟持部が前記レール部に対して前記押出方向に摺動する請求項１から８のいずれか一項に記載の物品陳列押出装置。
【請求項１０】
前記レール部の上面または下面の少なくとも一方には前記押出方向に沿って延在する突条部が形成されており、前記突条部の頂部と前記挟持部とが前記押出方向に直交する横断面において点接触することを特徴とする請求項９に記載の物品陳列押出装置。
【請求項１１】
前記突条部が、前記レール部の上面に形成された上突条と、前記レール部の下面に形成された下突条と、を含む請求項１０に記載の物品陳列押出装置。
【請求項１２】
前記上突条の頂部と前記下突条の頂部とが、前記横断面において幅方向の異なる位置に形成されている請求項１１に記載の物品陳列押出装置。
【請求項１３】
前記横断面において、前記上突条と前記下突条の曲率半径が互いに相違する請求項１２に記載の物品陳列押出装置。
【請求項１４】
前記上突条または前記下突条のうち前記曲率半径がより大きい一方の前記頂部が、他方の前記頂部よりも、前記横断面において幅方向の外方に位置している請求項１３に記載の物品陳列押出装置。
【請求項１５】
前記ケース本体の側面は、前記板バネ片の巻き量が最大であるときの前記巻回部の外周の下限位置よりも更に下方まで延出している請求項１から１４のいずれか一項に記載の物品陳列押出装置。
【請求項１６】
前記板バネ機構が、前記渦巻き状の板バネ片を収容し該板バネ片の外周端を係止した筒型ケースと、前記渦巻き状の板バネ片の中心端に接続され前記筒型ケースの一部を貫通して筒型ケースの外部側に延出された支持軸と、前記筒型ケースの外周部に巻回されて繰り出し自在とされた牽引体とを具備してなり、前記支持軸の一部が前記ケース本体の一部に軸支され、前記牽引体が前記筒型ケースの外周部から繰り出し自在かつ前記板バネ片の弾性復元力により巻取自在にされてなることを特徴とする請求項１から１５のいずれか一項に記載の物品陳列押出装置。
【請求項１７】
前記板バネ機構が、前記渦巻き状の板バネ片を収容し該板バネ片の外周端を係止した筒型ケースと、前記渦巻き状の板バネ片の中心端に接続され前記筒型ケースの一部を貫通して筒型ケースの外部側に延出された支持軸と、前記筒型ケースの一部に延出形成された延長部と、該延長部の外周部に巻回されて繰り出し自在とされた牽引体とを具備してなり、前記支持軸の一部が前記ケース本体の一部に軸支され、前記牽引体が前記延長部の外周部から繰り出し自在かつ前記板バネ片の弾性復元力により巻取自在にされてなることを特徴とする請求項１から１５のいずれか一項に記載の物品陳列押出装置。
【発明の詳細な説明】
【技術分野】
【０００１】
本発明は、陳列された商品などの物品を取り出しやすいように構成した物品陳列押出装置に関する。
【背景技術】
【０００２】
箱入りタバコ、箱入りの食料品、飲料缶、飲料ボトルなどの陳列商品の押出装置として種々の押出装置が開発されている。
例えば、特許文献１に記載の商品陳列ケースは、細長い箱型の商品収納ケースの両側板内にレールを設けてケース本体を構成し、レールに沿って移動する商品保持具に板バネを巻き付けてなる渦巻きバネを装着してなる。このケースは、板バネの弾性復元力を駆動力として利用し、商品保持具をケース本体の内部側においてスライド移動自在に保持した構造とされている。
また、特許文献２に記載の商品前出し陳列装置は、箱型のケースの相対向する側壁の内面側に縦方向に溝部を複数設け、レールを摺動する押し板、板バネ、および一対のレール部材からなる商品前出し器具を作成してなる。この装置は、レール部材の両端に係止ピンを設けて、これらの係止ピンをケース側壁の複数の溝部に挿入してレールの位置決めをなす構造とされている。【０００３】
更に、特許文献３、４には、商品を陳列方向（前後方向）に支持しながら移動する支持片に渦巻きバネを内蔵した商品押出装置が開示されている。この装置は、渦巻きバネの一端を繰り出して商品の収納ケースの一端側に取り付け、陳列した商品をケースから取り出す度に支持片が商品を順次前方側に押し出す構造とされている。
【先行技術文献】
【特許文献】
【０００４】
【特許文献１】特開昭５９−２１８１１３号公報
【特許文献２】特開２００５−２３７５６６号公報
【特許文献３】米国特許第４３０３１６２号明細書
【特許文献４】米国特許第６９６４２３５号明細書
【発明の概要】
【発明が解決しようとする課題】
【０００５】
商品の陳列装置においては、陳列在庫の管理確認や機会損失の低減の観点から、ケース本体に収容されている商品の補充のタイミングを把握できることが望ましい。一方で、商品の陳列効率を向上するためには商品同士を近接させて陳列することが求められるため、ケース本体に収容されている商品の残り数量を直接に目視確認することが困難な場合がある。
これに対し、従来のこの種の陳列装置において上述の要求を満たすものは提供されていないのが実情である。【０００６】
本発明は、かかる実情に鑑みてなされたものであり、配列して収納された商品が取り出されて残数が少なくなったことの確認が可能な物品陳列押出装置の提供を目的とする。
【課題を解決するための手段】
【０００７】
本発明の物品陳列押出装置は、物品を配列した状態で収容するケース本体と、該ケース本体の内部に前記物品の押出方向に沿って形成されたレール部と、該レール部に沿って前記ケース本体の内部を前記押出方向に沿って移動自在に設けられた案内部材と、巻き癖が付与された渦巻き状の板バネ片を備えた巻回部およびこの巻回部から引出自在であって前記板バネ片の弾性復元力により牽引される牽引体を含む板バネ機構と、を具備し、前記案内部材は、前記牽引体の先端側と接続されて前記板バネ片の前記弾性復元力により前記押出方向に付勢され、前記ケース本体の端部側に窓部が形成されており、前記ケース本体の外部から前記窓部を通じて前記板バネ片または前記牽引体の少なくとも一部が監視可能であることを特徴とする。
【発明の効果】
【０００８】
本発明においては、巻回部を有する板バネ片の弾性復元力を利用して案内部材をレール部に沿って付勢する。このため使用者は、押し出されてくる物品を、ケース本体における押出方向の前方側から取り出すことができる。このとき、窓部から板バネ片または牽引体を視認可能なため、これらの状態に基づいて物品の残り数量を把握することができる。
【図面の簡単な説明】
【０００９】
上述した目的、およびその他の目的、特徴および利点は、以下に述べる好適な実施の形態、およびそれに付随する以下の図面によってさらに明らかになる。【００１０】
【図１】本発明に係る物品陳列押出装置の第一実施形態を示す斜視図である。
【図２】図１に示す物品陳列押出装置の平面図である。
【図３】図３Ａは、図１に示す物品陳列押出装置の側面断面図である。図３Ｂは、案内部材の正面図である。
【図４】図１に示す物品陳列押出装置に付設されるスペーサーの一例を示す側面図である。
【図５】図１に示す物品陳列押出装置の正面図である。
【図６】図１に示す物品陳列押出装置に対するスペーサーの取り付け状態の一例を示す断面図である。
【図７】図１に示す物品陳列押出装置に対するスペーサーの取り付け状態の他の例を示す断面図である。
【図８】図１に示す物品陳列押出装置に備えられる板バネ部材の一例を示す斜視図である。
【図９】第一実施形態の変形例にかかる板バネ部材を示す斜視図である。
【図１０】第一実施形態の他の変形例にかかる窓部を示す正面図である。
【図１１】本発明に係る物品陳列押出装置の第二実施形態を示す側面断面図である。
【図１２】本発明に係る物品陳列押出装置の第三実施形態の板バネ部材を示す平面図である。
【図１３】本発明に係る物品陳列押出装置の第三実施形態の板バネ部材を示す断面図である。
【図１４】図１４Ａは、図１３のａ−ａ線断面図である。図１４Ｂは、図１３のｂ−ｂ線断面図である。
【図１５】本発明に係る物品陳列押出装置の第三実施形態のケース本体を示す正面図である。
【図１６】本発明に係る物品陳列押出装置の第三実施形態の一部を示す側面図である。
【図１７】本発明に係る物品陳列押出装置の第四実施形態の板バネ部材を示す平面図である。
【図１８】本発明に係る物品陳列押出装置の第四実施形態の板バネ部材を示す断面図である。
【図１９】本発明に係る物品陳列押出装置の第四実施形態の板バネ部材を示す構成図である。
【図２０】本発明に係る物品陳列押出装置の第四実施形態のケース本体を示す正面図である。
【図２１】本発明に係る物品陳列押出装置の第四実施形態の一部を示す側面図である。
【図２２】本発明に係る物品陳列押出装置の第五実施形態の平面図である。
【図２３】図２３Ａは図２２のＡ−Ａ線断面図である。図２３Ｂは図２３Ａにおけるレール部の近傍の拡大図である。
【図２４】図２４Ａは第五実施形態の案内部材の側面図である。図２４Ｂは図２３ＡのＢ−Ｂ線断面図である。
【発明を実施するための形態】
【００１１】
＜第一実施形態＞
以下、本発明に係る物品陳列押出装置の第一実施形態について図面を参照しなから説明するが、本発明は以下の実施形態に制限されるものではない。
図１は本発明に係る物品陳列押出装置１の第一実施形態を示す斜視図である。図２は図１の平面図である。図３Ａは図１の側面断面図であり、図３Ｂは案内部材５の正面図である。
【００１２】
第一実施形態の物品陳列押出装置１は、ケース本体３、レール部７、案内部材５および板バネ機構６を具備する。
ケース本体３は、商品などの複数個の物品２を互いに配列した状態で収容する。レール部７は、ケース本体３の内部に物品２の押出方向に沿って形成されている。案内部材５は、レール部７に沿ってケース本体３の内部を押出方向に沿って移動自在に設けられている。板バネ機構６は、巻き癖が付与された渦巻き状の板バネ片１２Ａを備えた巻回部１２Ｂ、およびこの巻回部１２Ｂから引出自在であって板バネ片１２Ａの弾性復元力により牽引される牽引体を含む。
また、案内部材５は、巻回部１２Ｂから引き出された牽引体の先端側（板バネ片１２Ａの先端部１２ａ）と接続されて板バネ片１２Ａの弾性復元力により押出方向に付勢される。そして、物品陳列押出装置１は、ケース本体３の端部側に窓部２０が形成されており、ケース本体３の外部から窓部２０を通じて板バネ片１２Ａまたは牽引体（本実施形態では板バネ片１２Ａ）の少なくとも一部が視認可能である（図５を参照）。
【００１３】
第一実施形態の物品陳列押出装置１は、たばこケース、菓子ケースなど、比較的軽量の物品２（図３Ａに破線で図示）を好適に陳列することができる。ケース本体３は、これらの商品を縦一列に１０個〜２０個程度収納可能であり、押出方向に向かって細長い形状をなしている。ケース本体３はＡＢＳ（Acrylonitrile Butadiene Styrene共重合）樹脂やハイインパクト ポリスチレンなどの樹脂材料からなる。案内部材５は、このケース本体３の内部に移動自在に設けられた物品の前送り部材である。案内部材５はポリオキシメチレン（polyoxymethylene）などの、ケース本体３よりも硬質の樹脂材料からなる。板バネ機構６は、この案内部材５をレール部７に沿って移動させる付勢手段である。
【００１４】
ケース本体３の幅寸法は、収容しようとする物品２の幅よりも若干幅広である。以下、物品２の押出方向を前後方向または長さ方向という場合がある。前後方向のうち、物品２の押出方向を前方といい、板バネ片１２Ａの引出方向を後方という。また、ケース本体３の深さ方向を上下方向といい、これらの方向に直交する方向を幅方向という場合がある。
【００１５】
ケース本体３は、物品２の最大収容個数に応じた長さの底板３Ａと、この底板３Ａの幅方向の両側に立設された一対の側壁３Ｂ、３Ｂと、底板３Ａの長さ方向の両側に立設された前面壁３Ｃおよび背面壁３Ｄを備えている。ケース本体３は、浅底型かつ上面開口型の細長いケース状である。一対の側壁３Ｂ、３Ｂ、前面壁３Ｃおよび背面壁３Ｄは、互いに一体的に連続している。
【００１６】
ケース本体３の底板３Ａの幅方向の中央側寄りの部分には、一対のレール部７、７が形成されている。一対のレール部７、７は、互いに所定の間隔をあけて並行している。一対のレール部７、７は長さ方向に延在する２本のスリットからなる。底板３Ａにおいて、一対のレール部７、７の間の部分には貫通孔７Ａが形成されている。これらのレール部７において、ケース本体３の背面壁３Ｄ側の端部は、背面壁３Ｄに近い部分まで延出形成されている。レール部７において、前面壁３Ｃ側の端部は、前面壁３Ｃから若干離れた位置まで延出形成されている。
【００１７】
底板３Ａの前面壁３Ｃ側の端部には、レール部７の一端部と前面壁３Ｃとの間に位置するように、底板３Ａに下向きの凸型のアール部８が形成されている。底板３Ａの上面側には、若干の間隙をあけて、一対のレール部７、７に沿って前後方向に延在する一対の支持壁９、９が立設されている。一対の支持壁９、９の間隙は、一対のレール部７、７の間隙よりも若干広い。一対の支持壁９、９の上方にはカバー壁１０が形成されている。ケース本体３の前面側底部には、一対のレール部７、７とカバー壁１０とアール部８とで囲まれた収容部１４が形成されている。この収容部１４には板バネ部材（牽引体）１２の巻回部１２Ｂが収容されている。
【００１８】
板バネ部材１２は、図８に示す如く長尺の板バネ片１２Ａを巻き付けてなる巻回部１２Ｂを備えてなる。この巻回部１２Ｂから板バネ片１２Ａを必要長さ引き出すことができる。板バネ片１２Ａには渦巻形になるように巻き癖が付与されていて、巻回部１２Ｂから引き出した板バネ片１２Ａを引き出し方向に引っ張る力を弱くすると板バネ片１２Ａは自身の弾性復元力により巻回部１２Ｂ側に自動的に巻き戻される。
【００１９】
一対の支持壁９、９の間には、板バネ部材１２の巻回部１２Ｂを回転自在に支持する支持軸１３が架設されている。カバー壁１０は平行壁１０Ａと傾斜壁１０Ｂを含む。平行壁１０Ａは、前面壁３Ｃの近傍の前縁部分である。平行壁１０Ａは、底板３Ａと平行である。傾斜壁１０Ｂは、前面壁３Ｃから離れた後縁部分である。傾斜壁１０Ｂは、後方側が下向きに傾斜している。傾斜壁１０Ｂの後方側の先端部と底板３Ａとの間に、板バネ片１２Ａを挿通可能なスリット状の開口部１５が形成されている。収容部１４は、底板３Ａのアール部８と一対の支持壁９、９とカバー壁１０により囲まれてケース本体３の壁底部側に板バネ部材１２の収容部１４が構成されている。
【００２０】
本実施形態において、板バネ部材１２は、その巻回部１２Ｂを一対の支持壁９、９の間の支持軸１３により周回りに回転自在に軸支されている。巻回部１２Ｂから引き出した板バネ片１２Ａを傾斜壁１０Ｂの先端側の開口部１５からケース本体３の内部側に引き出した状態で巻回部１２Ｂはケース本体３の収容部１４に収容されている。
【００２１】
案内部材５は底板３Ａの上に設置される。図３Ｂに示すように、案内部材５はスライド板５Ａ、案内板５Ｂ、リブ片５Ｃ、および一対の突出片５Ｄ、５Ｄを備えている。
スライド板５Ａは、一対のレール部７、７の上縁に接して摺動する。スライド板５Ａは底板３Ａよりも若干幅狭である。案内板５Ｂは、このスライド板５Ａの上面側に立設され、上下方向に延在している。案内板５Ｂは、配列された物品２の最後尾を前方に付勢する。リブ片５Ｃは、スライド板５Ａおよび案内板５Ｂと一体形成されて、板状の案内板５Ｂの曲げ剛性を補強する。一対の突出片５Ｄ、５Ｄは、幅方向に並んでスライド板５Ａの底部側に立設されている。これら２本の突出片５Ｄ、５Ｄは、一対のレール部７、７の間隙に挿通される。突出片５Ｄは爪形をなし、それらの先端（下端）側にフック部５Ｅが形成されている。突出片５Ｄを一対のレール部７、７の間隙に挿通した状態において、フック部５Ｅはケース本体３の底板３Ａの裏面側に突出して、突出片５Ｄの抜け止めをなす。これにより案内部材５はレール部７と係合する。また、案内部材５はレール部７からの脱離が規制された状態で、レール部７に沿ってスライド移動する。
【００２２】
巻回部１２Ｂから引き出された板バネ片１２Ａの先端部１２ａは案内部材５の底部側に取り付けられている。板バネ片１２Ａの弾性復元力により、案内部材５はレール部７に沿ってケース本体３の前面壁３Ｃに向かって付勢される。
【００２３】
本実施形態では、板バネ片１２Ａの先端側の一部長さが案内部材５の牽引体を兼ねている。言い換えると、本実施形態の牽引体は巻き癖が付与されていて弾性復元力により自ら巻き戻る。ただし、第二実施形態として後述するように、牽引体と板バネ片とを別体とし、柔軟でバネ性を実質的に有さない可撓性材料で牽引体を作成してもよい。
【００２４】
ケース本体３の底板３Ａにおいて、背面壁３Ｄに近い後端部分においては、一対のレール部７、７間の貫通孔７Ａが略されることにより、底板３Ａの一部からなる舌型のストッパ片１６が形成されている。前方から後方に案内部材５が後退するとき、レール部７に沿ってスライド移動したのち、突出片５Ｄがストッパ片１６に当接して案内部材５の後退移動は規制される。
また、案内部材５は板バネ片１２Ａにより牽引されて前面壁３Ｃ側に前進移動する。案内部材５の前進移動は、カバー壁１０の前面、または最後尾の物品２の背面に案内板５Ｂが当接した時点で停止される。
【００２５】
図５に示す如く、ケース本体３の前面壁３Ｃの底部中央側には窓部２０が設けられている。言い換えると、窓部２０は、ケース本体３の前面または背面のうち巻回部１２Ｂが取り付けられている側の壁に形成されている。すなわち窓部２０は、本実施形態のようにケース本体３の前面壁３Ｃに設けられてもよく、または背面壁３Ｄに設けられてもよい。窓部２０は、ケース本体３の内側に収容されている巻回部１２Ｂを目視可能な大きさを有している。
【００２６】
窓部２０は、一例として、前面壁３Ｃを透明樹脂材料で形成し、前面壁３Ｃの底部側の表面をフロスト処理などによって粗面加工して不透明状態に加工し、窓部２０に相当する樹脂の部分のみを透明樹脂のまま光透過できるようにすることで形成されている。このほか、窓部２０は、前面壁３Ｃの全体を不透明な部材で構成し、前面壁３Ｃの底部中央側に窓孔をあけることにより形成してもよい。また、前面壁３Ｃのうち、窓部に相当する位置のみを透明樹脂製にして、他の位置を不透明材料で作成することにより窓部２０を形成してもよい。また、前面壁３Ｃに窓孔を開口形成し、その開口部分にレンズ部材を配置することで、巻回部１２Ｂの周面を外部側から視認し易くした構成としてもよい。
【００２７】
本実施形態の物品陳列押出装置１においては、板バネ片１２Ａまたは牽引体（先端部１２ａ）の長さ方向の任意の位置に、板バネ片１２Ａまたは牽引体（先端部１２ａ）の巻回部１２Ｂからの繰り出し量の目安となる表示部１２Ｃが形成されている。窓部２０を介し表示部１２Ｃを視認することにより、ケース本体３に収容された物品２の数量把握ができるように構成されてなる。
【００２８】
窓部２０を通じて板バネ片１２Ａまたは牽引体の状態、例えば、巻回部１２Ｂの板バネ片１２Ａが作る巻径の大きさから、板バネ片１２Ａの繰り出し量を把握することができる。すなわち、窓部２０を介して板バネ片１２Ａを観察することで、ケース本体３に収容されている物品２の残数を把握することができる。
【００２９】
また、本実施形態の板バネ部材１２は、図８に示す如く、板バネ片１２Ａを巻回部１２Ｂから繰り出して所定長さ直線状に引き延ばすことができる。本実施形態の表示部１２Ｃは、ケース本体３に収容された物品２の残り数量を示す数字である。
板バネ片１２Ａの長さ方向に沿って形成する表示部１２Ｃの位置および態様は特に限定されない。一例として、案内部材５をレール部７に沿って前面壁３Ｃから最も離れた位置まで移動させた場合に、窓部２０を介して視認できる巻回部１２Ｂの外周面の表示部１２Ｃを、案内部材５と前面壁３Ｃとの間に陳列収納できる物品２の最大個数に示す数字とする。そして、案内部材５と前面壁３Ｃとの間に陳列収納されている物品２を１つ抜き取って案内部材５が移動する度に、窓部２０を介して表示部１２Ｃの数値が１つずつ減るような数字を印刷しておく。言い換えると、板バネ片１２Ａの長さ方向に、物品２の前後方向の寸法（厚み寸法）の間隔で数字が印刷されている。具体的には、板バネ片１２Ａの繰り出し量が物品２の厚み寸法のＮ個分にあたる位置に、Ｎを示す数字が印刷されている。これにより、板バネ片１２Ａまたは牽引体（先端部１２ａ）に形成された表示部１２Ｃは、ケース本体３内に陳列された物品２の残り数量を示す数字となる。
【００３０】
この表示部１２Ｃは、図８に示す如く、板バネ片１２Ａを巻回部１２Ｂから繰り出して所定長さ直線状に引き延ばした状態において、巻回部１２Ｂの外周面の所定位置に表示部１２Ｃのいずれかが正立表示されるように形成されている。即ち、板バネ部材１２から板バネ片１２Ａを必要長さ引き出した状態において前面壁３Ｃの窓部２０を介して板バネ片１２Ａの表面に形成されている複数の表示部１２Ｃのいずれかを正立表示状態で視認できる。
【００３１】
一方、ケース本体３の底板３Ａにおいて、側壁３Ｂに近い部分に底板３Ａの長さ方向に沿ってスリット状の複数（図２の例では４個）の嵌合孔２１が２列、合計８個ずつ形成されている。これらの嵌合孔２１には、図４に示す板状のスペーサー２２が装着される。このスペーサー２２は、底板３Ａよりも若干短く、側壁３Ｂよりも若干背の低い仕切板２２Ａと、この仕切板２２Ａの底部に間欠的に複数（図４の例では４個）突出形成された嵌合片２２Ｂとから構成されている。嵌合片２２Ｂを嵌合孔２１に嵌め込むことで、スペーサー２２は側壁３Ｂの内側に図６あるいは図７に示す如く立設される。
上記構造のスペーサー２２はケース本体３の一対の側壁３Ｂ、３Ｂの間隔よりも幅の小さな物品２をケース本体３に対し陳列配置する場合に使用する。スペーサー２２の嵌合孔２１に対する嵌合位置を図６あるいは図７のように適宜変更することで、幅の異なる物品２の陳列配置に対応することができる。
【００３２】
上記構造の物品陳列押出装置１にあっては、案内部材５をケース本体３の一番奥側までレール部７に沿ってスライド移動させ、前面壁３Ｃと案内部材５の間に形成された間隙に物品２を必要個数だけ配置して使用する。
ケース本体３に収容されている最前列の物品２を１つ取り出すと、案内部材５は板バネ部材１２の板バネ片１２Ａによって前方に牽引されているため、残りの物品２の列を案内部材５が前面壁３Ｃに当接するまで押し出す。これにより、ケース本体３の最前列の物品２を１つ取り出しても、陳列配置された他の物品２をケース本体３の内部で倒すことなく前進させることができる。
【００３３】
また、案内部材５をレール部７に沿ってケース本体３の後方にスライド移動させ、前面壁３Ｃと案内部材５の間に形成された間隙に所定個数の物品２を陳列配置した状態においては、板バネ片１２Ａに印刷されている表示部１２Ｃとしての数字を窓部２０から読み取ることができる。このとき、窓部２０から視認される数字は、陳列されている物品２の総個数に対応している。
次に、ケース本体３の最前列の物品２を１つ取り出すと前面壁３Ｃの窓部２０から読み取れる数字が１つ減り、ケース本体３に残る物品２の総数を把握できる。ケース本体３から物品２を取り出す度に窓部２０から読み取れる数値は減少する。これにより、この数値が０に近付くことでケース本体３内の物品２の残り数量が減少した状態を認識することができる。したがって、窓部２０から視認される数値に応じて、必要な時期に物品２の補充を行えばよい。
【００３４】
上記構造の物品陳列押出装置１によれば、前面壁３Ｃの窓部２０の内側の表示部１２Ｃを覗くことで物品２の残り数を把握できる。このため、例えば、物品２がたばこの箱のように比較的軽量で小さい場合であっても、ケース本体３における物品２の残り数量の状態を容易かつ正確に把握できる。
また、上述の物品２がたばこの箱などの場合、上述の構造のケース本体３をたばこの種類と設置個数に応じて複数用意し、これらを複数並べて什器本体（図示せず）に収容して展示するとよい。これにより、ケース本体３の内部の物品２の個数を直接に目視確認できない程度にケース本体３同士が近接して並列されていても、各ケース本体３の窓部２０を覗くことで、各ケース本体３の内部の物品２の残り数量を容易に把握することができる。
【００３５】
本実施形態では、物品２の残り数量の大小に依らず、窓部２０を通じて常に物品２の残り数量が確認できる態様の表示部１２Ｃを例示した。しかしながら、本発明はこれに限らない。所定の残り数量（例えば、５個）以下に達したことのみを窓部２０で視認できるようにしてもよい。具体的には、所定の残り数量に対応する位置に案内部材５が達したときに、窓部２０を通じて目視される板バネ片１２Ａの色彩または模様を変化させてもよい。
【００３６】
本実施形態の巻回部１２Ｂは、板バネ片１２Ａと表示片（テープ片１２Ｄ）の２重巻き構造である。板バネ片１２Ａの巻回部１２Ｂからの繰り出し量の目安となる表示部１２Ｃが表示片（テープ片１２Ｄ）に形成されている。
【００３７】
図９は、第一実施形態の変形例にかかる板バネ部材を示す斜視図である。本変形例の板バネ部材は、板バネ片１２Ａとテープ片（表示片）１２Ｄの２重巻き構造である。本変形例の表示部は、テープ片１２Ｄに印刷された色表示部１２Ｅである。すなわち、第一実施形態の表示部１２Ｃが数字であったのに代えて、本変形例では、色分け印刷した色表示部１２Ｅがテープ片１２Ｄに間欠的に形成されている。板バネ片１２Ａがバネ鋼などの材料であってその表面に印刷し難しい場合にも、親油性の樹脂からなるテープ片１２Ｄと板バネ片１２Ａとを２重巻きにすることで、色表示部１２Ｅを容易に形成することができる。
【００３８】
例えば、色表示部１２Ｅの一例として、ケース本体３の内部に収容されている物品２の個数が多い場合に窓部２０を介して視認される位置の色表示部１２Ｅを第一の色とする。そして、ケース本体３の内部に収容されている物品２の個数が少なくなった場合、例えば５個以下、３個以下などの場合に窓部２０を介して視認される位置の色表示部１２Ｅを、第一の色と異なる第二の色とする。このように、窓部２０を介して色表示部１２Ｅを、物品２の残り数量に応じて変化させることで、色表示部１２Ｅの色に基づいて物品２の残り数量を把握することができる。第一の色と第二の色とは、明度、彩度、色相のいずれか一以上が相違している。すなわち、板バネ片１２Ａまたは牽引体に形成された本変形例の表示部は、ケース本体３内に陳列された物品２の残り数量を示す色表示部１２Ｅである。一例として、案内部材５をレール部７に沿って前面壁３Ｃから最も離れた位置まで移動させた場合（即ち、ケース本体３の一番奥側まで案内部材５をスライドさせた場合）に、窓部２０を介して視認できる巻回部１２Ｂの外周面に、色表示部１２Ｅとして薄い青色を印刷しておく。また、案内部材５と前面壁３Ｃとの間に陳列収納されている物品２を抜き取って案内部材５が移動する度に窓部２０を介して色表示部１２Ｅが示す色を同じ薄い青色として印刷しておく。更に、案内部材５と前面壁３Ｃとの間に陳列収納されている物品２の数が５個あるいは３個などように少なくなった時点で濃い青色の色表示部１２Ｅを窓部２０から視認できるように印刷しておくとよい。これにより、窓部２０に臨む色表示部１２Ｅの色彩を目視することで物品２の残り数量を把握することができる。なお、色表示部１２Ｅの色表示はこの一例に限らず、物品２の残り数量が多い場合は青色、物品２の残り数量が少なくなった時点で黄色、物品２の残り数量が５個あるいは３個などのように少なくなった場合に赤色となるように色表示部１２Ｅを設けても良い。
【００３９】
以上の説明のように板バネ片１２Ａあるいはそれに２重巻きとするテープ片１２Ｄに形成する表示部の例は、数字印刷や色表示部の印刷に限らず、他の絵や文字、記号などの模様であってもよい。すなわち表示部は、ケース本体３に収容された物品２の残り数量を色彩により示す色表示部１２Ｅ、または残り数量を模様により示す模様表示部（図示せず）であってもよい。
【００４０】
さらに表示部は板バネ片１２Ａの幅寸法の変化として実現されていてもよい。すなわち、板バネ片１２Ａの繰り出し量に応じて、窓部２０を介して視認される板バネ片１２Ａの幅寸法を変化させてもよい。このように、ケース本体３に収容されている物品２の残り数が少なくなった場合に物品２の補充の時期を把握できるような表示形態であれば、表示部の具体的な形態は問わない。
【００４１】
また、上記のほかに、物品２の個数が十分に残っている範囲では薄い色合いの色表示部としておき、物品２の残量が少なくなる程、濃い色合いまたは他の色彩の色表示部となるようなグラデーションが付いた色表示部を設けても良い。この場合、色表示部はテープ片１２Ｄの表面全部に着色したり、テープ貼りによる色表示部としたりしても良く、窓部２０から視認できる範囲のみを色表示部としても良い。
【００４２】
さらに、物品２の個数が十分に残っている範囲では板バネ片１２Ａの素地の金属色が窓部２０から目視され、物品２の残量が所定個数以下となったときに窓部２０に所定の色彩の色表示部や模様表示部が表示されるよう構成してもよい。かかる表示部は、色彩または模様を板バネ片１２Ａまたは牽引体の一部の長さ領域に連続的に形成することにより実現される。具体的には、表示部が形成されたテープ状の表示片を、板バネ片１２Ａのうち窓部２０に臨む表面に被着するとよい。そして、板バネ片１２Ａまたは牽引体が所定の繰り出し量となったときに、この長さ領域の端部が窓部２０を介して視認されることで、物品２の残り数量が所定数に達したことが把握される。
【００４３】
なお、第一実施形態およびその変形例に代えて、板バネ片１２Ａの先端側に、板バネ片ではない可撓性を有する樹脂製のテープなどの牽引体を設けてもよい。そして、牽引体の先端を案内部材５に取り付けて牽引する構成とすることもできる。
【００４４】
図１０は、第一実施形態の他の変形例にかかる窓部２０を示す正面図である。本変形例の窓部２０は、巻回部１２Ｂの巻径の大小を視覚的に把握するための手段である。すなわち、本変形例の表示部は、数字や色表示部などの表示形態ではなく、巻回部１２Ｂそのものの大きさ（外周面の位置）を認識することに基づいてケース本体３内の物品２の個数を把握するものである。
本変形例の構造では、前面壁３Ｃの透明な窓部２０に基準線２５が印刷されている。ケース本体３内の物品２の個数が減少してきた場合、板バネ片１２Ａが巻回部１２Ｂに多く巻き付けられて巻回部１２Ｂの外径が大きくなる結果、窓部２０の基準線２５を超えて巻回部１２Ｂが大きくなる。基準線２５を超えて巻回部１２Ｂが大きくなった時点でケース本体３内の物品２の個数が減少して所定数に達したことを認識できる。
【００４５】
本変形例のように板バネ部材１２に特に表示部を設けることなく巻回部１２Ｂの外径の大きさでケース本体３内の物品２の個数を認識できるような構造を採用しても良い。
この実施形態の場合、前面壁３Ｃに印刷やシール貼りなどを施して前面壁３Ｃを透視できない状態としておき、窓部２０の部分のみ透過できる構造としておき、その部分に基準線２５を形成しておくとよい。これにより、窓部２０を介して巻回部１２Ｂの外周面のみが見えるので、巻回部１２Ｂの巻径を認識し易い。
【００４６】
＜第二実施形態＞
図１１は、本発明の物品陳列押出装置の第二実施形態の構造を簡略的に示す側面断面図である。この実施形態の物品陳列押出装置３０は、ケース本体３の前面壁３Ｃ側に前述と同等構造の板バネ部材１２を設けた上に、ケース本体３の背面壁３Ｄ側の底板３Ａ上に板バネ部材１２と同等構造の他の板バネ部材３２を設けた構造をなしている。板バネ部材１２は案内部材５を前方に付勢し、板バネ部材３２は案内部材５を後方に付勢する。ただし、板バネ部材３２は、その弾性力を板バネ部材１２の弾性力よりも小さくしてある。このため、案内部材５に作用する付勢力は、板バネ部材１２の付勢力の方が主体である。そして、板バネ部材３２と板バネ部材１２との合成の付勢力は案内部材５を前方に推進する。板バネ部材３２の基本構成は板バネ部材１２と同等であり、板バネ片３２Ａと巻回部３２Ｂとから構成され、板バネ片３２Ａの長さ方向の所定位置には間欠的に数字などの表示部や着色部などの色表示部が形成されている。
【００４７】
板バネ片３２Ａの先端部は案内部材５の底部側に取り付けられており、案内部材５のスライド移動に応じて板バネ部材１２の板バネ片１２Ａと共同して板バネ部材３２の板バネ片３２Ａが伸縮するようになっている。
この実施形態においては、ケース本体３の背面壁３Ｄ側に窓部を設けておき、この窓部を介してケース本体３の背面側から板バネ片３２Ａの表示部を視認できるので、ケース本体３の背面側から、ケース本体内の物品２の残り数量や残量を把握できる。
なお、物品陳列押出装置３０において、前面壁３Ｃ側に配置されている板バネ部材１２と背面壁３Ｄ側に配置されている板バネ部材３２の両方に間欠的に数字や色分け部などの表示部を形成し、ケース本体３の前面側と背面側の両方から物品２の残り数量を把握できるように構成しても良いのは勿論である。
【００４８】
本実施形態の物品陳列押出装置３０は、背面側からケース本体内の物品２の残り数量を把握できる。これにより、例えば、物品の残り数量の把握は背面側から行い、物品２の補充を前面側から行う場合に有利である。または、物品の残り数量の把握は背面側から行い、物品２の補充もケース本体３の背面側から行う構造の場合に有利な構造を提供できる。加えて、上述の如くケース本体３の前後両方から物品２の残り数量を把握できる構造も提供できる。
【００４９】
また、本発明において、板バネ部材１２の取付位置は、ケース本体３の前面壁側、前面壁側と背面壁側の両方に限らない。
第一および第二実施形態ではケース本体３の前面壁３Ｃ側に板バネ部材１２を設けたが、これに代えて、ケース本体３の背面壁３Ｄ側のみに収容部１４を形成してもよい。背面壁３Ｄ側にのみ板バネ部材１２を収容し、またケース本体３の前面壁３Ｃ側に滑車等を設けて、板バネ片１２Ａの延出方向を滑車を介して案内部材５側に向くように後方に変更してもよい。これにより、板バネ部材１２の収容位置を背面壁３Ｄ側のみに設定したとしても、案内部材５をケース本体３の前面壁３Ｃ側に牽引する構造を実現できる。
【００５０】
その場合、板バネ部材１２の長さは第一実施形態の２倍程度必要となるが、全長を板バネ部材とする必要はなく、その半分程度、即ち、ケース本体３の長さ程度を、バネ性を有しないテープで代用することも可能である。即ち、巻回部１２Ｂを構成する部分に板バネ片１２Ａを配置して板バネ片１２Ａの先端側にテープを接続し、滑車を介して案内部材５に接続する側の部分をテープで代用した構造とすることができる。そして、案内部材５が移動する距離（レール部７の長さに相当する距離）のみを板バネ片１２Ａが移動するように構成することができる。このようにすると、第一実施形態の構造と同等長さの板バネ部材１２を用いてその板バネ部材と同等長さのテープを板バネ片１２Ａの先端側に延設して構成し、このテープを滑車を介して案内部材５側に接続すると、案内部材５の牽引ができる。
この構造の場合、板バネ部材１２はケース本体３の背面壁３Ｄ側に収容されるので、ケース本体３の背面壁３Ｄ側に窓部２０を設けてケース本体３の後部側から物品２の残り数量を把握することができる。
【００５１】
＜第三実施形態＞
図１２〜図１６は本発明に係る物品陳列押出装置の第三実施形態を示すものである。第三実施形態の物品陳列押出装置５０は、第一実施形態に適用されているケース本体３と同等構造のケース本体３を有している。本実施形態は、ケース本体３に収容されている板バネ部材５２が第一実施形態の板バネ部材１２と異なった構造である点に特徴を有する。その他の構造については第一実施形態の構造と同等である。そのため本実施形態の説明において、先に説明した第一実施形態の構造と同等部分の説明は省略し、相違点を中心に説明する。
【００５２】
この第三実施形態の構造において、板バネ機構６２は、筒型ケース５６、支持軸５７、延長部５８および牽引体５９を具備している。
筒型ケース５６は、渦巻き状の板バネ片５３を収容し、この板バネ片５３の外周端を係止する。支持軸５７は、渦巻き状の板バネ片５３の中心端に接続され、筒型ケース５６の一部を貫通して、この筒型ケース５６の外部側に延出されている。延長部５８は、筒型ケース５６の一部に延出形成されている。牽引体５９は、延長部５８の外周部に巻回されて繰り出し自在とされている。そして、支持軸５７の一部はケース本体３の一部に軸支され、牽引体５９は延長部５８の外周部から繰り出し自在かつ板バネ片５３の弾性復元力により巻取自在である。
【００５３】
より具体的には、板バネ部材５２は、図１２、図１３に示す如く、巻回部５５、筒型ケース５６、支持軸５７、延長部５８、牽引体５９を主体として構成されている。
巻回部５５は、螺旋状に巻回された板バネ片５３からなる。筒型ケース５６は、この巻回部５５を収容する。支持軸５７は、この筒型ケース５６の中心部を貫通するように配置されている。延長部５８は、筒型ケース５６の周壁５６ａの一側に設けられた側壁部５６ｂの中心部から延出形成されている。牽引体５９は、この延長部５８の外周側に繰り出し自在に取り付けられて巻き付けられており、帯状をなしている。具体的には、テープ状の牽引体５９の始端部を延長部５８の周面の一部に接着して固定するか、または延長部５８の一部にスリットを形成して、そのスリットに牽引体５９を通し止めしてある。そして、牽引体５９を延長部５８に順次巻回することで、この牽引体５９は延長部５８より繰り出し自在に巻き付けられている。牽引体５９の終端部５９Ａ（図１４Ｂを参照）は、案内部材５のスライド板５Ａに連結される。板バネ部材５２の弾性復元力により牽引体５９が延長部５８に巻き付けられると、牽引体５９の終端部５９Ａは案内部材５のスライド板５Ａを前方に牽引する。
筒型の延長部５８の外径は筒型ケース５６の外径よりも小さく形成されている。これにより、延長部５８の周面に牽引体５９を全部巻き付けて巻回状態とした場合に、牽引体５９の最外周部は筒型ケース５６の周面位置と面一または筒型ケース５６の周面よりも内側に位置する。牽引体５９は、樹脂製あるいは金属製の薄いテープで構成する。一例として、樹脂にガラス繊維を配合してなるガラス繊維強化複合材料または強化繊維で編み込んだクロスを利用することができる。これらの繊維からなる牽引体５９であるならば、切れ難く延び難いので良好である。また、ガラス繊維製あるいはガラス繊維を織り込んでなるテープ状の牽引体５９の場合、牽引体５９の表面に塩化ビニル樹脂を表面コーティングもしくは含浸させてから表示部を印刷するとよい。印刷によって、視認しやすい発色の色表示部または文字や絵柄などの模様表示部を好適に形成することができる。
【００５４】
巻回部５５の中心部を貫通するように配置されている支持軸５７の先端側（図１３における左方）には、巻回部５５を構成する板バネ片５３の内周端が取り付けられている。板バネ片５３の外周端は筒型ケース５６の周壁の一部に固定されている。また、筒型ケース５６と延長部５８を挿通して延長部５８の外部側まで延出された支持軸５７の他側端部には円板状のフランジ板６０が一体化されている。フランジ板６０の外側の面には、リブ状の突起部６１が突出して形成されている。
更に、突起部６１をケース本体３の支持壁９（図２を参照）に形成したスロット（図示略）に挿通してフランジ板６０を周り止めした状態で板バネ部材５２が支持される。このようにして、ケース本体３の一対の支持壁９、９間の収容部１４に板バネ部材５２が収容されている。また、帯状の牽引体５９を筒型の延長部５８から繰り出して傾斜壁１０Ｂの先端側の開口部１５からケース本体３の内部側に引き出す。そして、引き出された牽引体５９の先端部は、案内部材５の底部側に固定される。
【００５５】
本実施形態の板バネ機構６２は、案内部材５をケース本体３のレール部７に沿ってスライド移動させた際に案内部材５に付勢力を付加できる点については第一実施形態と同様である。
案内部材５をケース本体３の内部においてレール部７に沿ってスライド移動させる際は、案内部材５をケース本体３の前面壁３Ｃから遠ざけるように使用者が手動により移動させる。これにより、牽引体５９が延長部５８から必要長さだけ繰り出される。それに伴って筒型ケース５６が回転され、巻回部５５を構成する板バネ片５３が弾性変形される。板バネ片５３の弾性復元力により、案内部材５には牽引体５９を介して前面壁３Ｃ側に引き戻されるように付勢力が作用する。よって、使用者が案内部材５から手を離すと、案内部材５は物品２をケース本体３の内部側において前面壁３Ｃ側（前方）に付勢する。よって、案内部材５は物品２を抑えるとともに、ケース本体３の先端側から物品２を取り出した場合は残りの物品２を前出しすることができる。
【００５６】
また、本実施形態においても、前面壁３Ｃの窓部２０を介して、牽引体５９に印刷されている数字、即ち、陳列された物品２の残り数量を読み取り把握することができる。第一実施形態の構造と同様、ケース本体３の最前列の物品２を１つ取り出すと前面壁３Ｃの窓部２０から読み取れる数字が１つ減り、ケース本体３に残る物品２の数量を把握できる。ケース本体３から物品２を取り出す度に窓部２０を介して読み取ることができる数値は減少するので、この数値が０に近付くことでケース本体３内の在庫が減少した状態を認識することができ、先の数値に応じて必要な時期に物品２の補充を行えばよい。本実施形態の構造において、この点についての作用効果について先の第一実施形態と同等の効果を得ることができる。
【００５７】
＜第四実施形態＞
図１７〜図２１は本発明に係る物品陳列押出装置の第四実施形態を示す。第四実施形態の物品陳列押出装置７０は、第一実施形態に適用されているケース本体３と同等構造のケース本体３を有している。第四実施形態は、ケース本体３に収容されている板バネ部材７２が第一実施形態の板バネ部材１２と異なった構造とされている点に特徴を有する。その他の構造については第一実施形態の構造と同等である。そのため、本実施形態の説明において、先に説明した第一実施形態の構造と同等部分の説明は省略し、相違点を中心に説明する。
【００５８】
この第四実施形態の構造において、板バネ機構８２は、筒型ケース７６、支持軸７７および牽引体７９を具備してなる。
筒型ケース７６は、渦巻き状の板バネ片７３を収容し、この板バネ片７３の外周端を係止している。支持軸７７は、渦巻き状の板バネ片７３の中心端に接続され、筒型ケース７６の一部を貫通して筒型ケース７６の外部側に延出されている。牽引体７９は、筒型ケース７６の外周部に巻回されて繰り出し自在とされている。そして、支持軸７７の一部はケース本体３の一部に軸支され、牽引体７９は筒型ケース７６の外周部から繰り出し自在かつ板バネ片７３の弾性復元力により巻取自在にされてなる。
【００５９】
より具体的には、板バネ部材７２は、図１７〜図１９に示す如く、巻回部７５、筒型ケース７６、支持軸７７および牽引体７９を主体として構成されている。
巻回部７５は、螺旋状に巻回された板バネ片７３からなる。筒型ケース７６は、この巻回部７５を収容する。支持軸７７は、この筒型ケース７６の中心部を貫通するように配置されている。牽引体７９は、筒型ケース７６の周壁部７６ａの外周部に繰り出し自在に取り付けられて巻き付けられており、帯状をなしている。具体的には、テープ状の牽引体７９の始端部を筒型ケース７６の周面の一部に接着して固定するか、または筒型ケース７６の一部にスリットを形成して牽引体７９をそのスリットに通し止めしてある。そして、牽引体７９を筒型ケース７６に順次巻回することで、牽引体７９は筒型ケース７６に繰り出し自在に巻き付けられている。
【００６０】
巻回部７５の中心部を貫通するように配置されている支持軸７７の先端側には、巻回部７５を構成する板バネ片７３の内周端が固定されている。板バネ片７３の外周端は筒型ケース７６の内周面の一部に固定されている。また、筒型ケース７６の周壁部７６ａを貫通してその外部側まで延出された支持軸７７の他側端部には円板状のフランジ板８０が一体化されている。フランジ板８０の外側の面の中心部に、リブ状の突起部８１が突出して形成されている。
更に、突起部８１をケース本体３の支持壁９（図２を参照）に形成したスロット（図示せず）に挿通してフランジ板８０を周り止めした状態で板バネ部材７２が支持される。このようにして、ケース本体３の一対の支持壁９、９間の収容部１４に板バネ部材７２が収容されている。帯状の牽引体７９を筒型ケース７６の外周部から繰り出して傾斜壁１０Ｂの先端側の開口部１５からケース本体３の内部側に引き出す。引き出された牽引体７９の先端部は、案内部材５の底部側に取り付けられている。
【００６１】
本実施形態の物品陳列押出装置７０は、案内部材５をケース本体３のレール部７に沿ってスライド移動できる点においては先の第一実施形態の構造と同様である。
案内部材５をケース本体３の内部においてレール部７に沿ってスライド移動させる際は、案内部材５をケース本体３の前面壁３Ｃから遠ざけるように使用者が手動により移動させる。これにより、牽引体７９は筒型ケース７６から必要長さ引き出される。それに伴って筒型ケース７６も回転し、巻回部７５を構成する板バネ片７３が弾性変形される。このため、板バネ片７３の弾性復元力により、案内部材５には牽引体７９を介し前面壁３Ｃ側に引き戻されるように付勢力が作用する。よって、使用者が案内部材５から手を離すと案内部材５は物品２をケース本体３の内部側において前面壁３Ｃ側に付勢する。よって、案内部材５は物品２を抑えるとともに、ケース本体３の先端側から物品２を取り出した場合は残りの物品２を前出しすることができる。
【００６２】
上述した実施形態にかかる物品陳列押出装置によれば、窓部を介し板バネ片の長さ方向任意の位置に設けた表示部を観察することで、ケース本体内の物品の残量を確実に把握することができる。よって、窓部を介し表示部を視認することにより、ケース本体に対する物品補充時期の把握ができ、確実に物品の補充ができる。
表示部を数字表記とするならば、物品の残り数を数字でもって簡便かつ正確に把握できる。また、表示部を色表示部または模様表示部としてケース本体内の物品の数量に応じて色が変わるように設けた表示部とするならば、窓部を介して表示部の色彩または模様を認識することにより、物品の残り数量を把握できる。
板バネ部材の板バネ片について、表示部を直接印刷することが困難な場合は、板バネ部材について、巻回部を板バネ片と表示片の２重巻き構造とするとよい。これにより、表示片に対し、数字、色彩または模様の印刷など、認識し易い表示部を確実に形成できる。
【００６３】
＜第五実施形態＞
図２２〜図２４は本発明に係る物品陳列押出装置の第五実施形態を示す。図２２は本実施形態の物品陳列押出装置９０の平面図である。図２３Ａは、図２２のＡ−Ａ線断面図である。図２３Ｂは、図２３Ａにおけるレール部７の近傍の拡大図である。図２４Ａは本実施形態の案内部材５の側面図である。図２４Ｂは、図２３ＡのＢ−Ｂ線断面図である。
図２２では、背面壁３Ｄに近接する最も後方まで案内部材５が引き出された状態を実線で図示し、前面壁３Ｃに近接する最も前方に案内部材５が位置する状態、および前後方向の中間部に案内部材５が位置する状態を破線で図示している。
【００６４】
図２４Ａおよび図２４Ｂに示すように、案内部材５は、スライド板５Ａ、案内板５Ｂ、リブ片５Ｃ、突出片５Ｄおよびフック部５Ｅを備えている。スライド板５Ａはレール部７の上縁に当接して押出方向に摺動する。案内板５Ｂは、最後尾の物品２の背面を付勢する板状部材である。リブ片５Ｃは案内板５Ｂの曲げ剛性を補強する補強部である。突出片５Ｄは、スライド板５Ａの下方に突出している。突出片５Ｄは、一対のレール部７、７の間隙に挿入されて、レール部７と係合する部位である。フック部５Ｅは、突出片５Ｄから外方に起立する爪部であり、レール部７の内側縁７０１に係合する。
【００６５】
本実施形態のケース本体３は、第一実施形態と同様に、互いに並行する一対のレール部７、７を含む。案内部材５は、レール部７を上下方向から挟持して押出方向に摺動する挟持部５Ｌを、案内部材５の幅両側にそれぞれ備えている。挟持部５Ｌは、レール部７に対して押出方向に摺動する。
【００６６】
案内部材５には、このほか、案内板５Ｂの下部に連続形成された起立片５Ｆと、起立片５Ｆの曲げ剛性を補強する補強リブ５Ｇと、挟持部５Ｌを挟んで上下に対向する上摺動壁５Ｍおよび下摺動壁５Ｎと、を備えている。
また、図２４Ｂに示すように、案内部材５は、板バネ片１２Ａの先端部を掛止して板バネ片１２Ａから付勢力を受ける掛止部５Ｈを備えている。板バネ片１２Ａの先端部には円孔（図示せず）が穿設されており、掛止部５Ｈはこの円孔に挿入される。掛止部５Ｈの荷担には、後方に突出する返し部５Ｐが形成されている。板バネ片１２Ａは弾性復元力により常時前方に付勢されているため、その反対側に突出する返し部５Ｐによって板バネ片１２Ａの脱落が防止されている。
【００６７】
また、掛止部５Ｈの前方、かつ掛止部５Ｈよりもわずかに高い位置にテープ押さえ部５Ｋが設けられている。本実施形態のテープ押さえ部５Ｋは、起立片５Ｆに設けられた開口５Ｊの下縁を構成している。開口５Ｊには板バネ片１２Ａの先端部が挿通される。開口５Ｊに挿通された板バネ片１２Ａの先端部は、上記の掛止部５Ｈに掛止される。
【００６８】
表示片（テープ片１２Ｄ）が板バネ片１２Ａの基端側から先端近傍に亘って被着されている。テープ片１２Ｄは、板バネ片１２Ａのうち窓部２０に臨む側の表面（図２４Ｂでは下面）に被着されている。テープ押さえ部５Ｋは、表示片（テープ片１２Ｄ）の先端側の端部１２Ｆを板バネ片１２Ａに対して押圧する。板バネ片１２Ａの先端は掛止部５Ｈに掛止されているため、テープ片１２Ｄの端部１２Ｆは、テープ押さえ部５Ｋによって常時板バネ片１２Ａに押圧される。これにより、テープ片１２Ｄが板バネ片１２Ａから剥離することが防止される。
【００６９】
図２３Ａおよび図２３Ｂに示すように、案内部材５の起立片５Ｆは、互いに並行する一対のガイド条７０２同士の間隙に嵌合する。これにより案内部材５は、図２３Ａに示す起立姿勢を保ったままレール部７に沿って摺動する。ガイド条７０２は、後記の上突条７０３および下突条７０４とともにレール部７を構成する。
【００７０】
レール部７の上面または下面の少なくとも一方には、押出方向に沿って延在する突条部が形成されている。本実施形態ではレール部７の上面および下面の両方に突条部（上突条７０３および下突条７０４）が形成されている。すなわち、本実施形態の突条部は、レール部の上面に形成された上突条７０３と、レール部の下面に形成された下突条７０４と、を含む。
そして、突条部（上突条７０３、下突条７０４）の頂部と挟持部５Ｌとは、押出方向に直交する横断面（図２３Ａおよび図２３Ｂ）において点接触する。具体的には、上突条７０３、下突条７０４は横断面形状が半円形である。上突条７０３の頂部は上摺動壁５Ｍの下面と接触し、下突条７０４の頂部は下摺動壁５Ｎの上面と接触する。このように、本実施形態では案内部材５ではなくケース本体３におけるレール部７に突条部を設けている。これにより、案内部材５とレール部７との接触面積が小さくなって、案内部材５の摺動性を良好にするとともに、突条部の耐摩耗性を十分に確保している。なぜならば、突条部をケース本体３のレール部７に設けることで、ケース本体３の前後方向の略全長に亘って、案内部材５の前後方向寸法よりも十分に長く突条部を形成することができるためである。
【００７１】
上突条７０３の頂部と下突条７０４の頂部とは、横断面において幅方向の異なる位置に形成されている。これにより、案内部材５に対して横倒し方向の外力が付与された場合でも、上突条７０３の頂部と下突条７０４の頂部が幅方向の異なる位置で案内部材５をそれぞれ支持するため、案内部材５が側壁３Ｂに向かって横倒しになることが好適に防止される。
【００７２】
横断面において、上突条７０３と下突条７０４の曲率半径は互いに相違している。そして、上突条７０３または下突条７０４のうち、曲率半径がより大きい一方（上突条７０３）の頂部は、他方（下突条７０４）の頂部よりも、横断面において幅方向の外方に位置している。ここで、曲率半径が小さい突条部（下突条７０４）は、これが大きい突条部（上突条７０３）に比べて、案内部材５との摩擦による損耗が大きい。したがって、案内部材５を繰り返し前進または後退移動させた場合、下突条７０４よりも上突条７０３の方が耐摩耗性に優れる。本実施形態では、このように耐摩耗性に優れる突条部（上突条７０３）を幅方向の外側に配置していることで、仮に下突条７０４が摩耗した場合でも上突条７０３によって案内部材５を安定して支持することが可能である。言い換えると、本実施形態の物品陳列押出装置９０は耐久性に優れる構造である。
【００７３】
ケース本体３の底板３Ａの下面には、前後方向に延在する差込片３Ｅが形成されている。差込片３Ｅは、底板３Ａの下面から下方に向かって突出している。差込片３Ｅの下端は側壁３Ｂの下端よりも下方に位置している。一方、本実施形態のケース本体３を設置する什器本体の棚板（図示せず）には、差込片３Ｅに対応する位置にスリットが形成されている。ケース本体３をこの棚板に載置する際には、スリットに対して差込片３Ｅを上方から差し込むことで、ケース本体３を棚板に係止することができる。このようにしてケース本体３を棚板に載置した場合には、ケース本体３の側壁３Ｂが棚板の上面に接地することとなる。このほか、ケース本体３の搬送時や保管時にも同様に、床面等に形成したスリットに差込片３Ｅを差し込んで、側壁３Ｂを接地させる場合がある。
ここで、本実施形態のケース本体３の側面（側壁３Ｂ）は、板バネ片１２Ａの巻き量が最大であるときの巻回部１２Ｂの外周の下限位置よりも更に下方まで延出している。これにより、側壁３Ｂを接地させてケース本体３を棚板や床面等（以下、棚板等）に載置した場合に、巻回部１２Ｂが棚板等に接触することがない。したがって、板バネ片１２Ａの巻き癖が棚板等によって経時的に消失することがなく、板バネ機構６の耐久性が向上する。
【００７４】
本発明にかかる上記実施形態は、以下の技術的思想を包含する。
（１）商品などの物品を配列した状態で収容するケース本体と、該ケース本体の内部に物品の押出方向に沿って形成されたレール部と、該レール部に沿って前記ケース本体の内部を物品の押出方向に沿って移動自在に設けられた案内部材と、巻き癖が付与された渦巻き状の板バネ片を備えた巻回部とこの巻回部から引出自在にされた牽引体を具備してなる板バネ機構と、を具備し、前記巻回部から引き出した牽引体の先端側を前記案内部材に取り付けて前記巻回部の板バネ片の弾性復帰力により前記案内部材を前記牽引体を介して物品の押出方向に付勢してなり、前記板バネ機構を備えたケース本体の端部側に前記ケース本体の外部から前記板バネ片または前記牽引体の少なくとも一部を監視可能な窓部を形成したことを特徴とする物品陳列押出装置；
（２）前記板バネ片または牽引体の長さ方向任意の位置に前記板バネ片または牽引体の前記巻回部からの繰り出し量の目安となる表示部が形成され、前記窓部を介し前記表示部を視認することにより前記ケース本体内の物品の数量把握ができるように構成されてなる上記（１）に記載の物品陳列押出装置；
（３）前記板バネ片または牽引体に形成された表示部が前記ケース本体内に陳列された物品の残り数量を示す数字であることを特徴とする上記（２）に記載の物品陳列押出装置；
（４）前記板バネ片または牽引体に形成された表示部が前記ケース本体内に陳列された物品の残り数量を示す色表示部であることを特徴とする上記（２）に記載の物品陳列押出装置；
（５）前記板バネ機構の巻回部は前記板バネ片と表示片の２重巻き構造とされてなり、前記板バネ片の前記巻回部からの繰り出し量の目安となる表示部が前記表示片に形成されてなる上記（１）から（４）のいずれかに記載の物品陳列押出装置；
（６）前記板バネ機構が、前記渦巻き状の板バネ片を収容し該板バネ片の外周端を係止した筒型ケースと、前記渦巻き状の板バネ片の中心端に接続され前記筒型ケースの一部を貫通して筒型ケースの外部側に延出された支持軸と、前記筒型ケースの外周部に巻回されて繰り出し自在とされた牽引体とを具備してなり、前記支持軸の一部が前記ケース本体の一部に軸支され、前記牽引体が前記筒型ケースの外周部から繰り出し自在かつ前記板バネ片の弾性復帰力により巻取自在にされてなることを特徴とする上記（１）から（５）のいずれかに記載の物品陳列押出装置；
（７）前記板バネ機構が、前記渦巻き状の板バネ片を収容し該板バネ片の外周端を係止した筒型ケースと、前記渦巻き状の板バネ片の中心端に接続され前記筒型ケースの一部を貫通して筒型ケースの外部側に延出された支持軸と、前記筒型ケースの一部に延出形成された延長部と、該延長部の外周部に巻回されて繰り出し自在とされた牽引体とを具備してなり、前記支持軸の一部が前記ケース本体の一部に軸支され、前記牽引体が前記延長部の外周部から繰り出し自在かつ前記板バネ片の弾性復帰力により巻取自在にされてなることを特徴とする上記（１）から（５）のいずれかに記載の物品陳列押出装置。
【００７５】
この出願は、２０１０年９月３０日に出願された日本出願特願２０１０−２２０１７５を基礎とする優先権を主張し、その開示の総てをここに取り込む。
【図１】
2012042721.tif 000003
【図２】
2012042721.tif 000004
【図３】
2012042721.tif 000005
【図４】
2012042721.tif 000006
【図５】
2012042721.tif 000007
【図６】
2012042721.tif 000008
【図７】
2012042721.tif 000009
【図８】
2012042721.tif 000010
【図９】
2012042721.tif 000011
【図１０】
2012042721.tif 000012
【図１１】
2012042721.tif 000013
【図１２】
2012042721.tif 000014
【図１３】
2012042721.tif 000015
【図１４】
2012042721.tif 000016
【図１５】
2012042721.tif 000017
【図１６】
2012042721.tif 000018
【図１７】
2012042721.tif 000019
【図１８】
2012042721.tif 000020
【図１９】
2012042721.tif 000021
【図２０】
2012042721.tif 000022
【図２１】
2012042721.tif 000023
【図２２】
2012042721.tif 000024
【図２３】
2012042721.tif 000025
【図２４】
2012042721.tif 000026
【国際調査報告】
2012042721.tif 000027
2012042721.tif 000028
2012042721.tif 000029
2012042721.tif 000030